(57)【要約】      （修正有）【課題】光ファイバを屈曲することなく表示を見易くすることが可能な光モジュールを提供する。【解決手段】光アンプモジュールは、複数の光コネクタアダプタ１２０Ｆが所定の並び方向に沿って装着された前面パネル３４と、複数の光コネクタアダプタ１２０Ｆを介して伝搬される光信号に基づいて所定の動作を行う動作部と、動作部の動作状態を表示するＬＥＤランプ１１１〜１１６とを備え、ＬＥＤランプ１１１〜１１６は、前面パネル３４において複数の光コネクタアダプタ１２０Ｆが配置された領域に対して所定の並び方向の側方に設けられている。【選択図】図９
2015102561.tif 000002
【特許請求の範囲】
【請求項１】
複数の光コネクタアダプタが所定の並び方向に沿って装着された前面パネルと、
前記複数の光コネクタアダプタを介して伝搬される光信号に基づいて所定の動作を行う動作部と、
前記動作部の動作状態を表示する表示部とを備え、
前記表示部は、前記前面パネルにおいて前記複数の光コネクタアダプタが配置された領域に対して前記所定の並び方向の側方に設けられている
光モジュール。
【請求項２】
前記表示部は、前記所定の並び方向に対して直交する方向に沿って配列された複数の発光素子からなる、
請求項１に記載の光モジュール。
【請求項３】
前記動作部は、前記前面パネル側から見た場合に、前記所定の並び方向に対して直交して配置された第１の基板と、前記所定の並び方向に対して平行に配置された第２の基板とを有し、
前記複数の発光素子は、前記第１の基板の前記前面パネル側の端部に実装され、
前記前面パネルには、前記複数の発光素子に対応する部位に複数の開口が形成されている、
請求項２に記載の光モジュール。
【請求項４】
前記動作部は、入力された光信号を増幅して出力するアンプユニットを含み、
前記複数の光コネクタアダプタは、前記アンプユニットへの入力用の光コネクタアダプタと、前記アンプユニットからの出力用の光コネクタアダプタとを含み、
前記表示部は、その一部において前記アンプユニットの動作状態を表示する、
請求項１乃至３の何れか１項に記載の光モジュール。
【発明の詳細な説明】
【技術分野】
【０００１】
本発明は、光モジュールに関する。
【背景技術】
【０００２】
従来、光ファイバを信号伝送媒体とする光通信に用いられ、光信号の増幅や光電変換等の所定の処理を行うものが知られている（例えば、特許文献１参照。）。
【０００３】
特許文献１に記載の光モジュール（光送信機及び光受信機）は、それぞれ光ファイバが接続される入出力端子、各信号を調整する信号調整部、半導体ダイオード、半導体ダイオードを駆動するための制御部等を備えて構成されている。制御部には、当該制御部の制御状態を表示するための表示手段として、液晶モニタが設けられている。この液晶モニタは、例えば温度制御やパワー制御等の状態を表示する。
【先行技術文献】
【特許文献】
【０００４】
【特許文献１】特開２０１１−９７６４８号公報
【発明の概要】
【発明が解決しようとする課題】
【０００５】
特許文献１に記載の光モジュールにおいて、入出力端子と液晶モニタとの配置関係によっては、並列された入出力端子から光送信機及び光受信機の外部に引き回された光ファイバが液晶モニタに被さり、液晶モニタの表示が見えづらくなる可能性があり、光ファイバを屈曲させて液晶モニタに被らないようにする必要がある。しかしながら、光ファイバは曲げに弱いため、大きく屈曲してしまうと破損を招来してしまうおそれがある。
【０００６】
そこで、本発明は、光ファイバを屈曲することなく表示を見易くすることが可能な光モジュールを提供することを目的とする。
【課題を解決するための手段】
【０００７】
本発明は、上記課題を解決することを目的として、複数の光コネクタアダプタが所定の並び方向に沿って装着された前面パネルと、前記複数の光コネクタアダプタを介して伝搬される光信号に基づいて所定の動作を行う動作部と、前記動作部の動作状態を表示する表示部とを備え、前記表示部は、前記前面パネルにおいて前記複数の光コネクタアダプタが配置された領域に対して前記所定の並び方向の側方に設けられている光モジュールを提供する。
【発明の効果】
【０００８】
本発明に係る光モジュールによれば、光ファイバを屈曲することなく表示を見易くすることが可能である。
【図面の簡単な説明】
【０００９】
【図１】本発明の実施の形態に係る光アンプモジュールが搭載された光伝送装置の外観を示す斜視図である。
【図２】光アンプモジュールを斜め上方から見た斜視図である。
【図３】光アンプモジュールを図２とは反対側から見た斜視図である。
【図４】筐体及び複数の光コネクタアダプタを省略した光アンプモジュールを示す斜視図である。
【図５】図１のＡ−Ａ線断面図である。
【図６】図１のＢ−Ｂ線断面図である。
【図７】前面パネルを省略した筐体を示し、（ａ）は第１の放熱板側から見た斜視図、（ｂ）は第２の放熱板側から見た斜視図である。
【図８】筐体を前面パネル側から見た平面図である。
【図９】複数の光コネクタが装着された状態の前面パネルを示す平面図である。
【図１０】複数の光ファイバ及び複数の接続ケーブルを配策した状態を示すサブ基板の第１の主面側の平面図である。
【図１１】複数の光ファイバを配策した状態を示すサブ基板の第２の主面側の平面図である。
【発明を実施するための形態】
【００１０】
［実施の形態］
本発明の実施の形態に係る光アンプモジュールが搭載された光伝送装置は、例えば伝送距離が１００ｋｍ以上の光伝送路の端局や中継局に設置される。
【００１１】
（光伝送装置１の構成）
図１は、本発明の実施の形態に係る光アンプモジュール３が搭載された光伝送装置１の外観を示す斜視図である。
【００１２】
光伝送装置１は、略箱型状のシャーシ２を有し、このシャーシ２に形成された収容スペース２０（図５において示す）に複数（本実施の形態では２つ）の光アンプモジュール３（第１の光アンプモジュール３ａ及び第２の光アンプモジュール３ｂ）、及び光伝送に必要な各種のモジュール１０が着脱可能に収容されて構成されている。この光伝送装置１は、シャーシ２に装着されるモジュールを適宜選択することにより、必要とされる通信仕様に柔軟に対応することが可能である。
【００１３】
一方の端局側から送出された光信号は、第１の光アンプモジュール３ａに入力され、第１の光アンプモジュール３ａ内で増幅された後に図略の分散補償器に入力される。光伝送路における光ファイバの波長分散により歪んだ光信号は、その逆波長分散特性を有する分散補償器によってその歪を補償される。分散補償器から出力された光信号は、第２の光アンプモジュール３ｂに入力され、第２の光アンプモジュール３ｂ内で増幅された後に他方の端局側に送出される。
【００１４】
また、他方の端局から送出された光信号は、第２の光アンプモジュール３ｂ、分散補償器、及び第１の光アンプモジュール３ａを経由して一方の端局側に送出される。
【００１５】
（光アンプモジュール３の構成）
次に、光アンプモジュール３の構成について、図２乃至図６を参照して説明する。
【００１６】
図２は、光アンプモジュール３を斜め上方から見た斜視図である。図３は、光アンプモジュール３を図２とは反対側から見た斜視図である。図４は、筐体３３及び複数の光コネクタアダプタ１２０Ａ〜１２０Ｆを省略した光アンプモジュール３を示す斜視図である。
【００１７】
光アンプモジュール３は、第１の基板としてのメイン基板３１と、メイン基板３１と直交するように配置された第２の基板としてのサブ基板３２と、一方の端局側から送出された光信号を増幅して分散補償器に出力するためのプリアンプユニット１６と、分散補償器で歪が補償された光信号を増幅して他方の端局側に出力するためのブースターアンプユニット１５と、サブ基板３２、ブースターアンプユニット１５、及びプリアンプユニット１６を収容する筐体３３とを備えている。
【００１８】
ブースターアンプユニット１５は、本発明に係る第１のアンプユニットの一態様であり、プリアンプユニット１６は、本発明に係る第２のアンプユニットの一態様である。
【００１９】
筐体３３は、図２及び図３に示すように、導電性の金属板からなる前面パネル３４と、側板３３３と、背面板３３４と、後述する前面板３３５（図５において示す）と、ブースターアンプユニット１５及びプリアンプユニット１６から発生した熱を放熱する第１の放熱板３３１及び第２の放熱板３３２とを有している。
【００２０】
前面パネル３４と背面板３３４とは、シャーシ２（図１参照）の奥行方向に対向するように配置されている。第１の放熱板３３１と第２の放熱板３３２とは、シャーシ２の鉛直方向に対向して平行に配置されている。本実施の形態では、第２の放熱板３３２と側板３３３とが断面Ｌ字形状の部材により一体に形成されている。
【００２１】
図２に示すように、第１の放熱板３３１には、前面パネル３４側から背面板３３４側に向かって延びる第１のレール部材１３１が取り付けられている。第１のレール部材１３１は、第１の放熱板３３１に平行な横部材１３１ａと、第１の放熱板３３１に対して直交する縦部材１３１ｂとからなり、断面Ｌ字形状を有している。
【００２２】
図３に示すように、第２の放熱板３３２には、前面パネル３４側から背面板３３４側に向かって延びる第２のレール部材１３２が取り付けられている。第２のレール部材１３２は、第１のレール部材１３１と同様にして、横部材１３２ａ及び縦部材１３２ｂからなり、断面Ｌ字形状を有している。
【００２３】
また、メイン基板３１には、サブ基板３２側の面とは反対側の面に、ＣＰＵ３１１、セレクタＩＣ３１２、ＲＡＭ３１３、フラッシュメモリ３１４、表示用バッファ３１５、及びファームウェアをＣＰＵ３１１に転送するための転送用コネクタ３１６が実装されている。ＣＰＵ３１１は、ブースターアンプユニット１５やプリアンプユニット１６の制御や監視を行う。セレクタＩＣ３１２は、ＣＰＵ３１１がブースターアンプユニット１５やプリアンプユニット１６との通信を行う場合の通信相手を切り替える。ＲＡＭ３１３は、ＣＰＵ３１１における演算処理のためのワークメモリとして使用される。フラッシュメモリ３１４は、各種設定データ等を記憶する。バッファＩＣ３１５には、後述するＬＥＤランプ１１１〜１１６の発光状態を指定する信号がＣＰＵ３１１によって書き込まれ、記憶される。
【００２４】
前面パネル３４は、複数（本実施の形態では６つ）の光コネクタアダプタ１２０Ａ〜１２０Ｆが装着された本体部３４ａと、本体部３４ａにおける筐体３３の側板３３３側の端部及びメイン基板３１側の端部をそれぞれ背面板３３４側に向かって折り返して形成された鍔部３４ｂ，３４ｃとを有している。
【００２５】
一方の鍔部３４ｂは、図２に示すように、複数（本実施の形態では６つ）のネジ３４０ｂによって筐体３３の側板３３３に固定されている。他方の鍔部３４ｃには、図３に示すように、円柱状のスペーサ３４０ｃが固定され、スペーサ３４０ｃがメイン基板３１に筐体３０の内側からねじ留めされている。
【００２６】
図２に示すように、前面パネル３４の本体部３４ａに装着された光コネクタアダプタ１２０Ａ〜１２０Ｆは、メイン基板３１側から筐体３３の側板３３３側に向かって光コネクタアダプタ１２０Ａ，１２０Ｂ，１２０Ｃ，１２０Ｄ，１２０Ｅ，１２０Ｆの順に並列している。
【００２７】
前面パネル３４の本体部３４ａには、複数の丸孔３４０ａからなる第１の外気導入部１０１及び第２の外気導入部１０２が形成されている。第１の外気導入部１０１は、本体部３４ａにおける第１の放熱板３３１側に、第２の外気導入部１０２は、本体部３４ａにおける第２の放熱板３３２側に、それぞれ形成されている。すなわち、第１の外気導入部１０１及び第２の外気導入部１０２は、光コネクタアダプタ１２０Ａ〜１２０Ｆを、その並び方向に垂直な方向に挟むように形成されている。
【００２８】
メイン基板３１は、例えば熱硬化処理が施されたガラスエポキシ樹脂等によって形成されたリジット基板であり、筐体３３の側板３３３に対向して配置されると共に、前面パネル３４側から見た場合に、光コネクタアダプタ１２０Ａ〜１２０Ｆの並び方向に対して直交して配置されている。
【００２９】
光アンプモジュール３は、メイン基板３１と筐体３３とによって直方体状の箱型に形成され、メイン基板３１は、光アンプモジュール３の側板としての機能を有している。
【００３０】
図３に示すように、メイン基板３１は、長手方向における背面板３３４側の端部に後述するシャーシ側コネクタに接続されるモジュール側コネクタ１８が設けられ、当該端部が２つのネジ１９によって背面板３３４に固定されている。
【００３１】
図４に示すように、メイン基板３１の長手方向における前面パネル３４側の端部には、複数（本実施の形態では６つ）のＬＥＤランプ１１１〜１１６が短手方向に並列して実装されている。また、メイン基板３１には、第１の基板接続用のコネクタとしての電源線用コネクタ１７１ａ及び信号線用コネクタ１７１ｂ、ならびに電子部品１７１ｃが実装されると共に、図略の配線パターンが形成されている。
【００３２】
サブ基板３２は、メイン基板３１と同様に、例えば熱硬化処理を施されたガラスエポキシ樹脂等によって形成されたリジット基板である。なお、本実施の形態では、サブ基板３２はリジット基板であるが、これに限らず、柔軟性を有するフレキシブル基板を用いることも可能である。
【００３３】
サブ基板３２は、前面パネル３４側から見た場合に、光コネクタアダプタ１２０Ａ〜１２０Ｆの並び方向に対して平行に配置され、図３に示すように、長手方向の一端部が２つのネジ１１によって背面板３３４に形成された凹部３３４ａに固定されている。
【００３４】
サブ基板３２の一方の面側には、ブースターアンプユニット１５、複数の光ファイバを保持する複数の保持部材１４６、ならびに第２の基板接続用のコネクタとしての電源線用コネクタ１７２ａ及び信号線用コネクタ１７２ｂが設けられ、他方の面側には、プリアンプユニット１６、及び複数の光ファイバを保持する複数の保持部材１４５が設けられている。なお、サブ基板３２のより詳細な構成については後述する。
【００３５】
図５は、図１のＡ−Ａ線断面図である。図６は、図１のＢ−Ｂ線断面図である。
【００３６】
図５に示すように、筐体３３の前面板３３５は、前面パネル３４の本体部３４ａの厚みよりも厚く形成され、前面パネル３４の内側に配置されている。したがって、前面板３３５と背面板３３４とは、対向して配置されている。前面パネル３４の本体部３４ａに装着された光コネクタアダプタ１２０Ａ〜１２０Ｆは、一端が前面パネル３４の本体部３４ａから内側（筐体３３の内部側）に向かって突出している。なお、図５では、光コネクタアダプタ１２０Ａのみを示している。
【００３７】
サブ基板３２は、筐体３３の第１の放熱板３３１に面する第１の主面３２ａ及び第２の放熱板３３２に面する第２の主面３２ｂを有し、メイン基板３１と直交するように配置されると共に、図６に示すように、ブースターアンプユニット１５とプリアンプユニット１６との間に配置されている。また、サブ基板３２と第１の放熱板３３１及び第２の放熱板３３２とは、互いに平行に配置されている。
【００３８】
ブースターアンプユニット１５は、サブ基板３２の第１の主面３２ａ側かつ筐体３３の背面板３３４側に配置され、第１の主面３２ａに設けられたアンプユニット接続用のコネクタ１４２に接続されている。ブースターアンプユニット１５は、内部にブースターアンプ等の発熱部品１５１を有し、複数のネジ１４４によってサブ基板３２に固定されている。
【００３９】
ブースターアンプユニット１５には、筐体３３の第１の放熱板３３１側の面に放熱シート１５３が設けられ、放熱シート１５３を介してブースターアンプユニット１５と第１の放熱板３３１とが熱的に結合される。これにより、ブースターアンプユニット１５の発熱部品１５１から発生した熱を筐体３３の第１の放熱板３３１から放熱する。
【００４０】
プリアンプユニット１６は、サブ基板３２の第２の主面３２ｂ側かつ前面パネル３４側に配置され、第２の主面３２ｂに設けられたアンプユニット接続用のコネクタ１４１に接続されている。プリアンプユニット１６は、内部にプリアンプ等の発熱部品１６１を有し、複数のネジ１４３によってサブ基板３２に固定されている。
【００４１】
プリアンプユニット１６には、筐体３３の第２の放熱板３３２側の面に放熱シート１６３が設けられ、放熱シート１６３を介してプリアンプユニット１６と第２の放熱板３３２とが熱的に結合される。これにより、プリアンプユニット１６の発熱部品１６１から発生した熱を筐体３３の第２の放熱板３３２から放熱する。
【００４２】
サブ基板３２には、第１の主面３２ａにおける前面パネル３４側（ブースターアンプユニット１５が配置されていない領域）及び第２の主面３２ｂにおける背面板３３４側（プリアンプユニット１６が配置されていない領域）に、複数の光コネクタ１２Ａ〜１２Ｆ（図２参照）から導出された複数の光ファイバを保持するための複数（本実施の形態では４つ）の保持部材１４５，１４６が設けられている。また、第１の主面３２ａの前面パネル３４側には、電源線用コネクタ１７２ａ及び信号線用コネクタ１７２ｂが実装されている。
【００４３】
メイン基板３１には、その内側の部品実装面（サブ基板３２側の面）に、サブ基板３２よりも第２の放熱板３３２（下端部３１ｂ）寄りであってプリアンプユニット１６よりもモジュール側コネクタ１８側の位置に、電源電圧を平滑するための複数（本実施の形態では２つ）のコンデンサ１４７が配置されている。コンデンサ１４７は、そのメイン基板３１からの高さが、メイン基板３１とサブ基板３２との間の距離よりも高く、上記の位置に配置されることによってサブ基板３２との干渉が回避されている。つまり、メイン基板３１において、メイン基板３１とサブ基板３２との間の距離よりも高さが高い部品は、内側の部品実装面におけるブースターアンプユニット１５及びプリアンプユニット１６と向かい合わない位置に実装されることにより、サブ基板３２との干渉が回避されている。
【００４４】
図５及び図６に示すように、光アンプモジュール３は、第１の放熱板３３１がシャーシ２の上板２ａ側に、第２の放熱板３３２がシャーシ２の下板２ｂ側に、それぞれ配置されるようにシャーシ２の収容スペース２０に収容される。メイン基板３１は、短手方向の一方の端部である上端部３１ａが第１の放熱板３３１よりもシャーシ２の上板２ａ側に突出し、他方の端部である下端部３１ｂが第２の放熱板３３２よりもシャーシ２の下板２ｂ側に突出している。
【００４５】
光アンプモジュール３は、第１の放熱板３３１がシャーシ２の上板２ａに対向して配置され、第２の放熱板３３２がシャーシ２の下板２ｂに対向して配置されるように、シャーシ２の収容スペース２０に収容される。光アンプモジュール３をシャーシ２に収容する際は、光アンプモジュール３を背面板３３４側から収容スペース２０内にスライドさせて挿入する。
【００４６】
このとき、メイン基板３１の上端部３１ａ及び下端部３１ｂ、ならびに第１及び第２のレール部材１３１，１３２の縦部材１３１ｂ，１３２ｂは、収容スペース２０の奥行方向（図４の矢印Ｄ方向）に沿ってシャーシ２に形成されたガイド溝２１ａに係合して、奥行方向に案内される。
【００４７】
図６に示すように、シャーシ２の下板２ｂには上板２ａに向かって突出する一対の凸部２１が複数形成され、上板２ａには下板２ｂに向かって突出する一対の凸部２１が複数形成されている。ガイド溝２１ａは、この一対の凸部２１によって構成され、シャーシ２の下板２ｂ及び上板２ａのそれぞれに等間隔に複数設けられている。
【００４８】
シャーシ２への光アンプモジュール３の装着が完了すると、図５に示すように、メイン基板３１のモジュール側コネクタ１８がシャーシ２に設けられたシャーシ側コネクタ６に嵌合する。シャーシ側コネクタ６は、取り付け板４を介してシャーシ２内に取り付けられたマザーボード５に実装されている。光アンプモジュール３は、マザーボード５及びシャーシ側コネクタ６を介して電源の供給を受けると共に、各種電気信号の授受を行う。
【００４９】
シャーシ２には、筐体３３の背面板３３４に対向する後壁２ｃに開口部２ｄが形成され、開口部２ｄの近傍にはシャーシ２内の空気を外部に排出するファン７が取り付けられている。これにより、光アンプモジュール３は、シャーシ２内において空冷される。
【００５０】
より具体的には、前面パネル３４の本体部３４ａ第１の外気導入部１０１から導入された外気は、第１の放熱板３３１の外面３３１ａに沿ってシャーシ２の奥側に流動し、開口部２ｄから外部に排出される。同様にして、第２の外気導入部１０２から導入された外気は、第２の放熱板３３２の外面３３２ａに沿ってシャーシ２の開口部２ｄから外部に排出される。これにより、第１の放熱板３３１及び第２の放熱板３３２からの熱が放熱される。
【００５１】
（筐体３３の構成）
図７は、前面パネル３４を省略した筐体３３を示し、（ａ）は第１の放熱板３３１側から見た斜視図、（ｂ）は第２の放熱板３３２側から見た斜視図である。図８は、筐体３３を前面パネル３４側から見た平面図である。なお、図８において、前面板３３５を破線で示す。
【００５２】
第１の放熱板３３１、第２の放熱板３３１、側板３３３、背面板３３４、前面板３３５、及び前面パネル３４は、例えばアルミニウム等の導電性の金属から形成されている。
【００５３】
第１の放熱板３３１は、長手方向の一端部が１つのネジ１１７によって前面板３３５に固定されていると共に、ブースターアンプユニット１５（図５参照）に固定されている。また、第１の放熱板３３１には、前面板３３５に固定された側の端面３３１ｃから背面板３３４側に向かって延びる切込み３３１ｄが形成されている。
【００５４】
第２の放熱板３３２及び側板３３３は、奥行方向の一端部が背面板３３４に、他端部が前面板３３５に、それぞれ固定されている。より具体的には、第２の放熱板３３２は、２つのネジ１１７によって一端部が背面板３３４に固定され、２つのネジ１１７によって他端部が前面板３３５に固定されている。一方、側板３３３は、１つのネジ１１７によって一端部が背面板３３４に固定され、２つのネジ１１７によって他端部が前面板３３５に固定されている。
【００５５】
図８に示すように、前面パネル３４の本体部３４ａには、光コネクタアダプタ１２０Ａ〜１２０Ｆ（図２参照）を装着するための複数（本実施の形態では６つ）の取付孔３４１ａ〜３４１ｆが形成されている。取付孔３４１ａ〜３４１ｆは、メイン基板３１側から側板３３３側に向かって取付孔３４１ａ，３４１ｂ，３４１ｃ，３４１ｄ，３４１ｅ，３４１ｆの順に並列して形成されている。
【００５６】
また、前面パネル３４の本体部３４ａには、ＬＥＤランプ１１１〜１１６（図４参照）に対応する部位に、複数（本実施の形態では６つ）の開口３４２ａ〜３４２ｆが取付孔３４１ａ〜３４１ｆの並び方向に対して直交する方向に沿って並列して形成されている。より具体的には、開口３４２ａ〜３４２ｆは、取付孔３４１ａ〜３４１ｆの並び方向における側方、本実施の形態ではメイン基板３１側の端部に形成されている。
【００５７】
開口３４２ａ〜３４２ｆは、第１の外気導入部１０１側から第２の外気導入部１０２側に向かって開口３４２ａ，３４２ｂ，３４２ｃ，３４２ｄ，３４２ｅ，３４２ｆの順に配列されている。
【００５８】
光アンプモジュール３に搭載された各種の電子部品から放射される電磁波や光アンプモジュール３の周辺部に設置された電子機器から放射される電磁波によるノイズを軽減するため（ＥＭＩ対策）、開口３４２ａ〜３４２ｆは、光コネクタアダプタ１２０Ａ〜１２０Ｆとの間に光コネクタアダプタ１２０Ａ〜１２０Ｆを開口３４２ａ〜３４２ｆに装着するために必要なわずかな隙間が形成される程度の大きさを有している。
【００５９】
前面板３３５には、前面パネル３４の本体部３４ａから内側に突出した光コネクタアダプタ１２０Ａ〜１２０Ｆ（図２及び図５参照）を一括して挿通させる貫通孔３３５ａが形成されている。図８に示すように、前面パネル３４側から筐体３３を見た場合、前面板３３５の貫通孔３３５ａは前面パネル３４の取付孔３４１ａ〜３４１ｆを一括して取り囲むように形成されている。
【００６０】
（光アンプモジュール３の内部構成）
図９は、光コネクタ１２Ａ〜１２Ｆが装着された状態の前面パネル３４を示す平面図である。図１０は、光ファイバ１３１Ａ〜１３１Ｅ，１３１Ｆ１，１３１Ｆ２及び複数の接続ケーブル１７ａ，１７ｂを配策した状態を示すサブ基板３２の第１の主面３２ａ側の平面図である。図１１は、光ファイバ１３１Ａ，１３１Ｂ，１３１Ｆ１を配策した状態を示すサブ基板３２の第２の主面３２ｂ側の平面図である。
【００６１】
光コネクタ１２Ａ〜１２Ｆは、光コネクタアダプタ１２０Ａ〜１２０Ｆと、光ファイバ１３１Ａ〜１３１Ｅ，１３１Ｆ１，１３１Ｆ２が接続された内部側プラグ１２１Ａ〜１２１Ｅ，１２１Ｆ１，１２１Ｆ２と、光ファイバ１３２Ａ〜１３２Ｅ，１３２Ｆ１，１３２Ｆ２が接続された外部側プラグ１２２Ａ〜１２２Ｅ，１２２Ｆ１，１２２Ｆ２とを有して構成されている。
【００６２】
光コネクタアダプタ１２０Ａ〜１２０Ｆには、ブースターアンプユニット１５及びプリアンプユニット１６への入力用の光コネクタアダプタと、ブースターアンプユニット１５及びプリアンプユニット１６からの出力用の光コネクタアダプタとが含まれる。すなわち、光コネクタ１２Ａ〜１２Ｆには、ブースターアンプユニット１５及びプリアンプユニット１６への入力用の光コネクタと、ブースターアンプユニット１５及びプリアンプユニット１６からの出力用の光コネクタとが含まれる。以下、光コネクタ１２Ａ〜１２Ｆのそれぞれについて詳しく説明する。
【００６３】
光コネクタ１２Ａは、プリアンプユニット１６への入力用の光コネクタであり、内部側プラグ１２１Ａと、外部側プラグ１２２Ａと、内部側プラグ１２１Ａ及び外部側プラグ１２２Ａが嵌合される光コネクタアダプタ１２０Ａとから構成されている。光コネクタ１２Ａの内部側プラグ１２１Ａは、図１０に示すように、光ファイバ１３１Ａによってプリアンプユニット１６の入力用ポート１６ａに接続されている。また、光コネクタ１２Ａの外部側プラグ１２２Ａは、光ファイバ１３２Ａによって外部機器に接続されている。内部側プラグ１２１Ａと外部側プラグ１２２Ａとは、光コネクタアダプタ１２０Ａを介して光結合している。
【００６４】
光コネクタ１２Ｂは、プリアンプユニット１６からの出力用の光コネクタであり、内部側プラグ１２１Ｂと、外部側プラグ１２２Ｂと、内部側プラグ１２１Ｂ及び外部側プラグ１２２Ｂが嵌合される光コネクタアダプタ１２０Ｂとから構成されている。光コネクタ１２Ｂの内部側プラグ１２１Ｂは、図１０に示すように、光ファイバ１３１Ｂによってプリアンプユニット１６の出力用ポート１６ｂに接続されている。また、光コネクタ１２Ｂの外部側プラグ１２２Ｂは、光ファイバ１３２Ｂによって外部機器に接続されている。内部側プラグ１２１Ｂと外部側プラグ１２２Ｂとは、光コネクタアダプタ１２０Ｂを介して光結合している。
【００６５】
光コネクタ１２Ｃは、ブースターアンプユニット１５への入力用の光コネクタであり、内部側プラグ１２１Ｃと、外部側プラグ１２２Ｃと、内部側プラグ１２１Ｃ及び外部側プラグ１２２Ｃが嵌合される光コネクタアダプタ１２０Ｃとから構成されている。光コネクタ１２Ｃの内部側プラグ１２１Ｃは、図１０に示すように、光ファイバ１３１Ｃによってブースターアンプユニット１５の入力用ポート１５ａに接続されている。また、光コネクタ１２Ｃの外部側プラグ１２２Ｃは、光ファイバ１３２Ｃによって外部機器に接続されている。内部側プラグ１２１Ｃと外部側プラグ１２２Ｃとは、光コネクタアダプタ１２０Ｃを介して光結合している。
【００６６】
光コネクタ１２Ｄは、ブースターアンプユニット１５からの出力用の光コネクタであり、内部側プラグ１２１Ｄと、外部側プラグ１２２Ｄと、内部側プラグ１２１Ｄ及び外部側プラグ１２２Ｄが嵌合される光コネクタアダプタ１２０Ｄとから構成されている。光コネクタ１２Ｄの内部側プラグ１２１Ｄは、図１０に示すように、光ファイバ１３１Ｄによってブースターアンプユニット１５の出力用ポート１５ｂに接続されている。また、光コネクタ１２Ｄの外部側プラグ１２２Ｄは、光ファイバ１３２Ｄによって外部機器に接続されている。内部側プラグ１２１Ｄと外部側プラグ１２２Ｄとは、光コネクタアダプタ１２０Ｄを介して光結合している。
【００６７】
光コネクタ１２Ｅは、ブースターアンプユニット１５の出力確認用の光コネクタであり、内部側プラグ１２１Ｅと、外部側プラグ１２２Ｅと、内部側プラグ１２１Ｅ及び外部側プラグ１２２Ｅが嵌合される光コネクタアダプタ１２０Ｅとから構成されている。光コネクタ１２Ｅの内部側プラグ１２１Ｅは、図１０に示すように、光ファイバ１３１Ｅによってブースターアンプユニット１５の出力用ポート１５ｂに接続されている。また、光コネクタ１２Ｅの外部側プラグ１２２Ｅは、光ファイバ１３２Ｅによって外部のモニタに接続されている。内部側プラグ１２１Ｅと外部側プラグ１２２Ｅとは、光コネクタアダプタ１２０Ｅを介して光結合している。
【００６８】
光コネクタ１２Ｆは、ブースターアンプユニット１５及びプリアンプユニット１６の監視用の光コネクタであり、内部側プラグ１２１Ｆ１，１２１Ｆ２と、外部側プラグ１２２Ｆ１，１２２Ｆ２と、内部側プラグ１２１Ｆ１，１２１Ｆ２及び外部側プラグ１２２Ｆ１，１２２Ｆ２が嵌合される光コネクタアダプタ１２０Ｆとから構成されている。
【００６９】
内部側プラグ１２１Ｆ１と外部側プラグ１２２Ｆ１とが光コネクタアダプタ１２０Ｆを介して光結合し、プリアンプユニット１６へ入力される光信号から監視用信号を分離して出力するＤＥＭＵＸポートとなっている。また、内部側プラグ１２１Ｆ２と外部側プラグ１２２Ｆ２とが光コネクタアダプタ１２０Ｆを介して光結合し、ブースターアンプユニット１５から出力される光信号に対して監視用信号を合波するＭＵＸポートとなっている。
【００７０】
内部側プラグ１２１Ｆ１は、光ファイバ１３１Ｆ１によってプリアンプユニット１６の入力用ポート１６ａに接続され、内部側プラグ１２１Ｆ２は、光ファイバ１３１Ｆ２によってブースターアンプユニット１５の出力用ポート１５ｂに接続されている。外部側プラグ１２２Ｆ１，１２２Ｆ２は、光ファイバ１３２Ｆ１，１３２Ｆ２によって外部機器に接続されている。
【００７１】
ブースターアンプユニット１５、プリアンプユニット１６、メイン基板３１、及びサブ基板３２は、光コネクタアダプタ１２０Ａ〜１２０Ｆ（光コネクタ１２Ａ〜１２Ｆ）を介して伝搬される光信号に基づいて各々の所定の動作を行う動作部を構成し、ＬＥＤランプ１１１〜１１６は、当該動作部の動作状態を表示する表示部である。本実施の形態では、当該表示部は、複数の発光素子の一態様であるＬＥＤランプ１１１〜１１６からなり、これらのＬＥＤランプ１１１〜１１６がバッファＩＣ３１５に記憶された信号に基づいて発光する。
【００７２】
図９に示すように、ＬＥＤランプ１１１〜１１６は、前面パネル３４において光コネクタアダプタ１２０Ａ〜１２０Ｆが配置された領域に対して光コネクタアダプタ１２０Ａ〜１２０Ｆの並び方向の側方に設けられている。より具体的には、ＬＥＤランプ１１１〜１１６は、光コネクタアダプタ１２０Ａ〜１２０Ｆの並び方向に対して直交する方向に沿って、第１の外気導入部１０１側から第２の外気導入部１０２側に向かってＬＥＤランプ１１１，１１２，１１３，１１４，１１５，１１６の順に配列されている。
【００７３】
ＬＥＤランプ１１１は、光アンプモジュール３の電源の入切を表示する。本実施の形態では、光アンプモジュール３に電源が供給されている場合は緑色に点灯し、電源が供給されない場合は消灯する。
【００７４】
ＬＥＤランプ１１２は、光アンプモジュール３の異常（故障）に関するアラームを表示する。本実施の形態では、アラームが発生した場合は赤色に点灯し、それ以外の場合は消灯している。
【００７５】
ＬＥＤランプ１１３は、プリアンプユニット１６への入力状態を表示する。本実施の形態では、プリアンプユニット１６への入力信号がきている場合は緑色に点灯し、プリアンプユニット１６への入力信号が来ていない場合は消灯し、入力信号が強すぎる場合はオレンジ色に点灯する。したがって、ＬＥＤランプ１１３は、光コネクタ１２Ａに対応している。
【００７６】
ＬＥＤランプ１１４は、プリアンプユニット１６からの出力状態を表示する。本実施の形態では、プリアンプユニット１６から光信号が出力されている場合は緑色に点灯し、プリアンプユニット１６から光信号が出力されていない場合は消灯し、出力信号が強すぎる場合はオレンジ色に点灯する。したがって、ＬＥＤランプ１１４は、光コネクタ１２Ｂに対応している。
【００７７】
ＬＥＤランプ１１５は、ブースターアンプユニット１５への入力状態を表示する。本実施の形態では、ブースターアンプユニット１５への入力信号がきている場合は緑色に点灯し、ブースターアンプユニット１５への入力信号が来ていない場合は消灯し、入力信号が強すぎる場合はオレンジ色に点灯する。したがって、ＬＥＤランプ１１５は、光コネクタ１２Ｃに対応している。
【００７８】
ＬＥＤランプ１１６は、ブースターアンプユニット１５からの出力状態を表示する。本実施の形態では、ブースターアンプユニット１５から光信号が出力されている場合は緑色に点灯し、ブースターアンプユニット１５から光信号が出力されていない場合は消灯し、出力信号が強すぎる場合はオレンジ色に点灯する。したがって、ＬＥＤランプ１１６は、光コネクタ１２Ｄに対応している。
【００７９】
したがって、ＬＥＤランプ１１１〜１１６のうちＬＥＤランプ１１３〜１１６は、光アンプモジュール３に搭載されたアンプユニット（ブースターアンプユニット１５及びプリアンプユニット１６）の動作状態を表示する。
【００８０】
図１０に示すように、光コネクタ１２Ａ〜１２Ｆは、筐体３３の内側及び外側に亘って配置されている。より具体的には、内部側プラグ１２１Ａ〜１２１Ｅ，１２１Ｆ１，１２１Ｆ２は、前面板３３５から筐体３３の内側に向かって突出している。光コネクタアダプタ１２０Ａ〜１２０Ｆの一端部及び外部側プラグ１２２Ａ〜１２２Ｅ，１２２Ｆ１，１２２Ｆ２は、前面パネル３４の本体部３４ａから筐体３３の外側に向かって突出している。
【００８１】
図１０に示すように、筐体３３内において、サブ基板３２の第１の主面３２ａ側、かつ前面板３３５とブースターアンプユニット１５との間には、光ファイバ１３１Ａ〜１３１Ｅ，１３１Ｆ１，１３１Ｆ２の余長部分を巻回状態で収納する第１の余長収納部３３ｃが設けられている。光ファイバ１３１Ａ〜１３１Ｅ，１３１Ｆ１，１３１Ｆ２は、４つの保持部材１４６に保持され、環状に巻き回されている。４つの保持部材１４６は、光ファイバ１３１Ａ〜１３１Ｅ，１３１Ｆ１，１３１Ｆ２の巻き回し方向に対応して等間隔に配置されている。
【００８２】
光ファイバ１３１Ａ〜１３１Ｅ，１３１Ｆ１，１３１Ｆ２のうち光ファイバ１３１Ａ，１３１Ｂ，１３１Ｆ１は、サブ基板３２におけるブースターアンプユニット１５側かつ側板３３３側に形成された切欠き部３２ｃを通過して第２の主面３２ｂ側に引き回されている。
【００８３】
図１１に示すように、筐体３３内において、サブ基板３２の第２の主面３２ｂ側、かつ背面板３３４とプリアンプユニット１６との間には、光ファイバ１３１Ａ，１３１Ｂ，１３１Ｆ１の余長部分を巻回状態で収納する第２の余長収納部３３ｄが設けられている。光ファイバ１３１Ａ，１３１Ｂ，１３１Ｆ１は、４つの保持部材１４５に保持され、環状に巻き回されている。４つの保持部材１４５は、４つの保持部材１４６と同様に、光ファイバ１３１Ａ，１３１Ｂ，１３１Ｆ１の巻き回し方向に対応して等間隔に配置されている。
【００８４】
なお、光ファイバ１３１Ａ，１３１Ｂ，１３１Ｆ１は、必ずしも第１の余長収納部３３ｃ及び第２の余長収納部３３ｄに収納される必要はなく、各々の余長によっては、第１の余長収納部３３ｃに収納されずに、第２の余長収納部３３ｄのみに収納されていてもよい。
【００８５】
メイン基板３１に設けられた電源線用コネクタ１７１ａとサブ基板３２に設けられた電源線用コネクタ１７２ａとは、可撓性を有する接続ケーブル１７ａによって接続されている。接続ケーブル１７ａは、その両端部に第１及び第２のコネクタ１７ａ１，１７ａ２を有し、第１のコネクタ１７ａ１がメイン基板３１の電源線用コネクタ１７１ａに嵌合し、第２のコネクタ１７ａ２がサブ基板３２の電源線用コネクタ１７２ａに嵌合する。
【００８６】
同様にして、メイン基板３１に設けられた信号線用コネクタ１７１ｂとサブ基板３２に設けられた信号線用コネクタ１７２ｂとは、可撓性を有する接続ケーブル１７ｂによって接続されている。接続ケーブル１７ｂは、その両端部に設けられた第１及び第２のコネクタ１７ｂ１，１７ｂ２を有し、第１のコネクタ１７ｂ１がメイン基板３１の信号線用コネクタ１７１ｂに嵌合し、第２のコネクタ１７ｂ２がサブ基板３２の信号線用コネクタ１７２ｂに嵌合する。
【００８７】
接続ケーブル１７ａ，１７ｂは、図１０に示すように、第１の余長収納部３３ｃに収納された光ファイバ１３１Ａ〜１３１Ｅ，１３１Ｆ１，１３１Ｆ２を跨いで配策されている。
【００８８】
（実施の形態の作用及び効果）
以上説明した実施の形態によれば、以下のような作用及び効果が得られる。
【００８９】
（１）ＬＥＤランプ１１１〜１１６は、前面パネル３４において光コネクタアダプタ１２０Ａ〜１２０Ｆが配置された領域に対して光コネクタアダプタ１２０Ａ〜１２０Ｆの並び方向の側方に設けられているため、外部側プラグ１２２Ａ〜１２２Ｅ，１２２Ｆ１，１２２Ｆ２から引き回された光ファイバ１３２Ａ〜１３２Ｅ，１３２Ｆ１，１３２Ｆ２がＬＥＤランプ１１１〜１１６に被らず、ＬＥＤランプ１１１〜１１６の表示が見易い。
【００９０】
（２）ＬＥＤランプ１１１〜１１６が一列に並列している場合においても、ＬＥＤランプ１１１〜１１６は光コネクタアダプタ１２０Ａ〜１２０Ｆの並び方向に対して直交する方向に沿って配列されているため、光ファイバ１３２Ａ〜１３２Ｅ，１３２Ｆ１，１３２Ｆ２がＬＥＤランプ１１１〜１１６に被らない。
【００９１】
（３）ＬＥＤランプ１１１〜１１６は、メイン基板３１の前面パネル３４側の端部に実装され、前面パネル３４の本体部３４ａには、ＬＥＤランプ１１１〜１１６に対応する部位に開口３４２ａ〜３４２ｆが形成されているため、ＬＥＤランプ１１１〜１１６の実装が容易である。
【００９２】
（４）光アンプモジュール３はブースターアンプユニット１５及びプリアンプユニット１６を有するため、光アンプモジュール３に接続される光ファイバの本数が増えるが、その場合においても本発明を適用することにより光ファイバはＬＥＤランプ１１１〜１１６に被らない。
【００９３】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００９４】
［１］複数の光コネクタアダプタ（１２０Ａ〜１２０Ｆ）が所定の並び方向に沿って装着された前面パネル（３４）と、複数の光コネクタアダプタ（１２０Ａ〜１２０Ｆ）を介して伝搬される光信号に基づいて所定の動作を行う動作部（ブースターアンプユニット１５、プリアンプユニット１６、メイン基板３１、及びサブ基板３２）と、ブースターアンプユニット（１５）、プリアンプユニット（１６）、メイン基板（３１）、及びサブ基板（３２）の動作状態を表示する表示部（ＬＥＤランプ１１１〜１１６）とを備え、ＬＥＤランプ（１１１〜１１６）は、前面パネル（３４）において複数の光コネクタアダプタ（１２０Ａ〜１２０Ｆ）が配置された領域に対して所定の並び方向の側方に設けられている光モジュール（光アンプモジュール３）。
【００９５】
［２］表示部は、所定の並び方向に対して直交する方向に沿って配列された複数の発光素子（ＬＥＤランプ１１１〜１１６）からなる、［１］に記載の光アンプモジュール（３）。
【００９６】
［３］動作部は、前面パネル（３４）側から見た場合に、所定の並び方向に対して直交して配置された第１の基板（メイン基板３１）と、所定の並び方向に対して平行に配置された第２の基板（サブ基板３２）とを有し、ＬＥＤランプ１１１〜１１６は、メイン基板（３１）の前面パネル（３４）側の端部に実装され、前面パネル（３４）には、ＬＥＤランプ（１１１〜１１６）に対応する部位に複数の開口（３４２ａ〜３４２ｆ）が形成されている、［２］に記載の光アンプモジュール（３）。
【００９７】
［４］動作部は、入力された光信号を増幅して出力するアンプユニット（ブースターアンプユニット１５及びプリアンプユニット１６）を含み、複数の光コネクタアダプタ（１２０Ａ〜１２０Ｆ）は、ブースターアンプユニット（１５）及びプリアンプユニット（１６）への入力用の光コネクタアダプタと、ブースターアンプユニット（１５）及びプリアンプユニット（１６）からの出力用の光コネクタアダプタとを含み、ＬＥＤランプ（１１１〜１１６）は、その一部においてブースターアンプユニット（１５）及びプリアンプユニット（１６）の動作状態を表示する、［１］乃至［３］の何れか１項に記載の光アンプモジュール（３）。
【００９８】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００９９】
本発明は、その趣旨を逸脱しない範囲で適宜変形して実施することが可能である。例えば、上記実施の形態では、第１のアンプユニットとしてブースターアンプユニット１５を用い、第２のアンプユニットとしてプリアンプユニット１６を用いた場合について説明したが、これとは反対に、第１のアンプユニットとしてプリアンプユニットを用い、第２のアンプユニットとしてブースターアンプユニットを用いてもよい。また、第１及び第２のアンプユニットが共にプリアンプユニット又はブースターアンプユニットであってもよい。
【０１００】
また、上記実施の形態では、光アンプモジュール３をシャーシ２に着脱可能にした光伝送装置１について説明したが、これに限らず、単体で用いられる光アンプモジュールに本発明を適用してもよい。
【０１０１】
また、上記実施の形態では、光アンプモジュール３について説明したが、これに限らず、例えば単に光信号を電気信号に、電気信号を光信号に、それぞれ変換する光電変換モジュール等に本発明を適用してもよい。
【符号の説明】
【０１０２】
３，３ａ，３ｂ…光アンプモジュール（光モジュール）
１５…ブースターアンプユニット（動作部）
１６…プリアンプユニット（動作部）
３１…メイン基板（第１の基板，動作部）
３１ａ…上端部
３１ｂ…下端部
３２…サブ基板（第２の基板，動作部）
３４…前面パネル
１１１〜１１６…ＬＥＤランプ（発光素子，表示部）
１２０Ａ〜１２０Ｆ…光コネクタアダプタ
３４２ａ〜３４２ｆ…開口
【図１】
2015102561.tif 000003
【図２】
2015102561.tif 000004
【図３】
2015102561.tif 000005
【図４】
2015102561.tif 000006
【図５】
2015102561.tif 000007
【図６】
2015102561.tif 000008
【図７】
2015102561.tif 000009
【図８】
2015102561.tif 000010
【図９】
2015102561.tif 000011
【図１０】
2015102561.tif 000012
【図１１】
2015102561.tif 000013